(57)【特許請求の範囲】
【請求項１】
一対の横フレーム１、１及び一対の縦フレーム２、２とで建物へ取り付け可能に略方形枠状をなして構成された枠体３と、
上方の前記横フレーム１と縦フレーム２との一方側突き合わせ部４に設けた半円盤状をなす第１支承部５に、一端側に設けた前記第１支承部５を挟み込むよう二股状に形成された半楕円盤状をなす一端側回動部１０が重ね合わされ、回動ピン２２により回動可能に軸支された第１ブレース８と、
前記上方の前記横フレーム１と縦フレーム２との一方側突き合わせ部４に対向する下方の横フレーム１と縦フレーム２との下方の突き合わせ部１２に設けた半円盤状をなす第２支承部１３に、一端側に設けた前記第２支承部１３を挟み込むよう二股状に形成された半楕円盤状をなす一端側回動部１０が重ね合わされ、回動ピン２２により回動可能に軸支された第２ブレース１６と、
前記第１ブレース８及び第２ブレース１６の他端側回動部１１、１１同士が回動可能に連結された第１連結部と、
下方の前記横フレーム１と縦フレーム２との一方側突き合わせ部２０に設けた二股状に形成された半楕円盤状をなす第３支承部２１に、一端側に設けた半円盤状をなす一端側回動部１０が前記第３支承部２１に差し込まれて重ね合わされ、回動ピン２２により回動可能に軸支され、かつ他端側回動部１１が回動可能に連結される、前記第１連結部と一体に形成され、一体に揺動する幅広の膨出体状をなす第２連結部と、
前記第２連結部の揺動を減衰するダンパー１７と、
を有し、
少なくとも前記第１支承部５、第２支承部１３、第３支承部２１、一端側回動部１０、他端側回動部１１及び第１連結部及び第２連結部は鍛造品で形成してなり、
前記第１支承部５、第２支承部１３、第３支承部２１は一方側突き合わせ部４、下方の突き合わせ部１２、他の突き合わせ部２０に各々取り付けられる取り付け部６、１４、２３と該取り付け部６、１４、２３と一体成形された回動支持部７、１５、２４とを有して構成され、
前記第１連結部と一体に形成され、幅広の膨出体状をなす第２連結部は、第１ブレース８あるいは第２ブレース１６における他端側回動部１１、１１のいずれか一方に形成する、
ことを特徴とするブレース状制動ユニット。
【発明の詳細な説明】
【０００１】
【発明の属する技術分野】
本発明は、たとえば建物へ取り付け可能とされた、ブレース状制動ユニットに関するものである。
【従来の技術】
従来より、建物へ取り付け可能とされたたとえばトグル機構を用いた制動ユニットが提案されている。
【０００２】
ここで、制動ユニットが建物内に取り付けられて制震ユニットとなり、制震ユニットとは地震による建物の揺れを小さくするユニットを意味する。
【０００３】
これに対し、免震とは地盤と建物を免震ゴムなどによって切り離し、地震の揺れを建物に伝えにくくすることをいい、耐震とは建造物自体の強度を高めて地震に耐えうるものとすることをいう。
【０００４】
そして、前記のトグル機構を用いた制震構造は、いわゆる層間変形を増幅してエネルギー吸収手段（ダンパー）に伝えることによって、地震エネルギー吸収効率が高くなるので、ダンパーの性能が通常の１／４乃至１／１０ですみ、また装置をコンパクトにしうるので柱、梁フレーム内に納めやすく、また、窓や出入り口等の開口部の妨げにならないように設置することもでき、微少の変形であっても効果を発揮するため、強風時の揺れを小さく抑え、居住性を高めることができ、既存建物の耐震補強にも効果的で、在来補強の困難な建物や、基礎に余裕のない場合にも適用できる特徴がある。
【０００５】
【発明が解決しようとする課題】
しかして、本発明は従来のトグル機構を用いた制動ユニットをさらに改良したものであって、複雑で重要な支承部、回動部及び連結部には鍛造品で形成し、かつそれぞれの連結に際して要する部品点数を減ずることにより、コストを上昇させることなしに制震ユニット自体の高強度化を図り、さらに対衝撃性、疲労強度も向上させ、また制震ユニット全体をコンパクトになしえ、もって狭い柱、梁フレーム内であっても納めやすく、窓や出入り口等の開口部を全く妨げないよう設置できる制震ユニットを提供することを目的とするものである。
【課題を解決するための手段】
かくして本発明は、
一対の横フレーム１、１及び一対の縦フレーム２、２とで建物へ取り付け可能に略方形枠状をなして構成された枠体３と、
上方の前記横フレーム１と縦フレーム２との一方側突き合わせ部４に設けた半円盤状をなす第１支承部５に、一端側に設けた前記第１支承部５を挟み込むよう二股状に形成された半楕円盤状をなす一端側回動部１０が重ね合わされ、回動ピン２２により回動可能に軸支された第１ブレース８と、
前記上方の前記横フレーム１と縦フレーム２との一方側突き合わせ部４に対向する下方の横フレーム１と縦フレーム２との下方の突き合わせ部１２に設けた半円盤状をなす第２支承部１３に、一端側に設けた前記第２支承部１３を挟み込むよう二股状に形成された半楕円盤状をなす一端側回動部１０が重ね合わされ、回動ピン２２により回動可能に軸支された第２ブレース１６と、
前記第１ブレース８及び第２ブレース１６の他端側回動部１１、１１同士が回動可能に連結された第１連結部と、
下方の前記横フレーム１と縦フレーム２との一方側突き合わせ部２０に設けた二股状に形成された半楕円盤状をなす第３支承部２１に、一端側に設けた半円盤状をなす一端側回動部１０が前記第３支承部２１に差し込まれて重ね合わされ、回動ピン２２により回動可能に軸支され、かつ他端側回動部１１が回動可能に連結される、前記第１連結部と一体に形成され、一体に揺動する幅広の膨出体状をなす第２連結部と、
前記第２連結部の揺動を減衰するダンパー１７と、
を有し、
少なくとも前記第１支承部５、第２支承部１３、第３支承部２１、一端側回動部１０、他端側回動部１１及び第１連結部及び第２連結部は鍛造品で形成してなり、
前記第１支承部５、第２支承部１３、第３支承部２１は一方側突き合わせ部４、下方の突き合わせ部１２、他の突き合わせ部２０に各々取り付けられる取り付け部６、１４、２３と該取り付け部６、１４、２３と一体成形された回動支持部７、１５、２４とを有して構成され、
前記第１連結部と一体に形成され、幅広の膨出体状をなす第２連結部は、第１ブレース８あるいは第２ブレース１６における他端側回動部１１、１１のいずれか一方に形成する、
ことを特徴とするものである。
【発明の実施の形態】
以下、本発明によるブレース状制動ユニットを図に基づいて説明する。
【０００６】
まず、本発明の一実施例であるブレース状制動ユニットは、図１から理解されるように、一対の金属部材からなる横フレーム１と一対の金属部材からなる縦フレーム２とにより略方形状に枠組みされた枠体３を有する。
【０００７】
ここで、前記枠体３を構成する横フレーム１及び縦フレーム２については、建物自体の鉄骨や梁である場合が多い。
【０００８】
そして、当該枠体３を構成する上方の横フレーム１と一方側の縦フレーム２との突き合わせ部４、すなわち図１に向かって左側上方の直角交差部には鍛造品で一体成形された第１支承部５が設けられている。
【０００９】
この第１支承部５は前記突き合わせ部４に溶接等で取り付けられる取り付け部６と該取り付け部６と一体成形された回動支持部７とを有して構成されている。
【００１０】
次に、符号８は第１ブレースを示し、該第１ブレース８は、所定の長さを有して例えば鋼管により形成されたブレース本体９と、該ブレース本体９の一側に装着される鍛造品で形成された一端側回動部１０と、ブレース本体９の他端側に装着される鍛造品で形成された他端側回動部１１とを有して構成されている。
【００１１】
また、前記突き合わせ部４に対向する位置である、略方形状に枠組みされた枠体３を構成する下方の横フレーム１と他方側の縦フレーム２との突き合わせ部１２、すなわち図１に向かって右側下方の直角交差部においても鍛造品で一体成形された第２支承部１３が設けられる。
【００１２】
そして当該第２支承部１３も前記突き合わせ部１２に溶接等で取り付けられる取り付け部１４と該取り付け部１４と一体成形された回動支持部１５とを有して構成されている。
【００１３】
次に、符号１６は第２ブレースを示し、該第２ブレース１６も前述した第１ブレース８と同様の構成を有している。
【００１４】
すなわち、所定の長さを有する円筒状をなす鋼管により形成されたブレース本体９と、該ブレース本体９の一側に装着される鍛造品で形成された一端側回動部１０と、ブレース本体９の他端側に装着される鍛造品で形成された他端側回動部１１とを有して構成されている。
【００１５】
さらに、符号１７はエネルギー吸収手段たるダンパーを示し、該ダンパー１７は長手方向に伸縮可能とされるダンパー本体１８と該ダンパー本体１８の両端から突出する状態で一端側回動部１０及び他端側回動部１１が各々取り付けられている。そして、これら一端側回動部１０及び他端側回動部１１は一体成型されて形成されている。
【００１６】
また、図１に示すように下方の横フレーム１と一方側の縦フレーム２との突き合わせ部２０、すなわち図１に向かって左側下方の直角交差部にも鍛造で一体成形された第３支承部２１が設けられている。該第３支承部２１についても前記突き合わせ部２０に溶接等で取り付けられる取り付け部２３と該取り付け部２３と一体成形された回動支持部２４とを有して構成されている。
【００１７】
以上において、図１に示すように、第１支承部５の回動支持部７と第１ブレース８の一端側回動部１０とは回動ピン２２により第１ブレース８が回動可能に軸支され、もって第１ブレース８の一端側は枠体３の平面方向に回動できるものとされている。
【００１８】
また、第２ブレース１６の一端側回動部１０についても第２支承部１３の回動支持部１５に回動ピン２２により枠体３の平面方向に回動可能に軸支されている。
【００１９】
そして、前記第１ブレース８と第２ブレース１６の他端側回動部１１，１１についても回動ピン２２により回動可能に軸支されている。
【００２０】
また、ダンパー１７の一端側回動部１０についても、前記した突き合わせ部２０に取り付けられた第３支承部２１の回動支持部２４に回動ピン２２により回動可能に軸支され、他端側回動部１１についても第２ブレース１６の他端側回動部１１に回動ピン２２により回動可能に軸支されている。
【００２１】
ところで、図１から理解されるように、この図１では第２ブレース１６の他端側回動部１１は幅広の膨出体状をなして形成されており（図３の符号１１及び図５参照）、かつ回動ピン２２の軸支用孔２５が２カ所に穿設されている。
【００２２】
そして、略中央部に穿設された軸支用孔２５には前記第１ブレース８の他端側回動部１１の軸支用孔２５が重ね合わされて回動ピン２２が差し込まれ回動可能に連結されると共に、脇側に穿設された軸支用孔２５にはダンパー１７の他端側回動部１１に穿設された軸支用孔２５が重ね合わされて回動ピン２２が差し込まれ回動可能に連結される。
【００２３】
なお、必ずしも第２ブレース１６の他端側回動部１１を幅広の膨出体状に形成する必要はなく、たとえば図２に示すように第１ブレース８の他端側回動部１１を幅広の膨出体状に形成し、そこに２カ所の軸支用孔２５，２５を穿設して連結しても構わないものである。
【００２４】
いずれにせよ、少なくとも前記第１支承部５，第２支承部１０、第３支承部２１及び第１ブレース８、第２ブレース１６は鍛造品で形成され、とくにまた第１ブレース８あるいは第２ブレース１６のいずれかの他端側回動部１１が幅広の膨出体状をなして形成され、軸支用孔２５が２カ所に設けられているため、連結のための部品を別途必要とせず、もってコストを上昇させることなしに制震ユニット自体の高強度化を図れ、さらに対衝撃性、疲労強度をも向上させ得、また制震ユニット全体をコンパクトになしえ、もって狭い柱、梁フレーム内であっても納めやすく、窓や出入り口等の開口部を全く妨げないようにしてある。
【００２５】
【発明の効果】
かくして、本発明は以上の構成からなる。
【００２６】
そして、本発明によるブレース状制震ユニットであれば、連結のために複雑で重要な支承部、回動部及び連結部を鍛造品で形成し、かつそれぞれの連結に際して要する部品点数を減ずることにより、コストを上昇させることなしに制震ユニット自体の高強度化を図れ、さらに対衝撃性、疲労強度をも向上させ得、また制震ユニット全体をコンパクトになし得、もって狭い柱、梁フレーム内であっても納めやすく、窓や出入り口等の開口部を全く妨げないよう設置できるとの優れた効果を奏する。
【図面の簡単な説明】
【図１】本発明の概略構成説明図である。
【図２】本発明の要部分解説明図である。
【図３】第１ブレースの概略構成説明図である。
【図４】第２ブレースの要部分解説明図である。
【図５】第１ブレースにおける他端側回動部の概略構成説明図である。
【図６】第１ブレースにおける一端側回動部及び第２ブレースの一端側回動部、他端側回動部の要部分解説明図である。
【符号の簡単な説明】
１ 横フレーム
２ 縦フレーム
３ 枠体
４ 突き合わせ部
５ 第１支承部
６ 取り付け部
７ 回動支持部
８ 第１ブレース
９ ブレース本体
１０ 一端側回動部
１１ 他端側回動部
１２ 下方の突き合わせ部
１３ 第２支承部
１４ 取り付け部
１５ 回動支持部
１６ 第２ブレース
１７ ダンパー
１８ ダンパー本体
２０ 他の突き合わせ部
２１ 第３支承部
２２ 回動ピン
２３ 取り付け部
２４ 回動支持部
２５ 軸支用孔
【図１】
0003720252.tif 000002
【図２】
0003720252.tif 000003
【図３】
0003720252.tif 000004
【図４】
0003720252.tif 000005
【図５】
0003720252.tif 000006
【図６】
0003720252.tif 000007